(57)【要約】【課題】対象者が自らに不足している栄養素を補うことができる栄養補助食品を客観的に選択することができる健康管理支援装置等を提供する。【解決手段】対象者の身体的特徴に基づいて対象者が必要とする各栄養素の必要摂取量を決定し、対象者が摂取した各栄養素の摂取量と決定した各栄養素の必要摂取量とを比較して各栄養素の過不足量を算出し（Ｓ１０９）、算出した各栄養素の不足量を補うことが可能な栄養補助食品を決定し、決定した栄養補助食品に関する情報を推奨サプリメントとして外部へ送信する（Ｓ１１６）。【選択図】図１８
2013178839.tif 000002
【特許請求の範囲】
【請求項１】
対象者の身体的特徴に関する身体情報と該対象者が摂取した食物を特定する食物情報との入力を受付ける受付手段と、
前記受付手段が受付けた前記身体情報に基づいて決定される栄養所要量、及び、前記食物情報に基づいて決定される栄養摂取量に基づき、複数の栄養素のそれぞれについて摂取量が、予め設定されている過剰から不足までの度合いを示す複数の区分の内のいずれに属するかを判定する判定手段と、
前記度合いが不足している栄養素を抽出し、抽出した該度合いが不足している栄養素を列記する表示だけでなく、前記複数の栄養素のそれぞれにつき、過剰から不足までの度合いについて前記判定手段により判定された区分に属することを識別可能に表示可能な出力手段と
を有することを特徴とする健康管理支援装置。
【請求項２】
前記受付手段は更に、前記対象者の自覚症状を示す情報を受付け、
前記栄養所要量は、受付けた前記自覚症状を示す情報に基づき補正されること
を特徴とする請求項１に記載の健康管理支援装置。
【請求項３】
表示手段は、前記不足栄養素を含有するサプリメントの名称を表示すること
を特徴とする請求項１又は２に記載の健康管理支援装置。
【請求項４】
前記受付手段は更に、前記対象者が摂取するサプリメントを特定する情報を受付け、
前記栄養摂取量は、受付けた前記サプリメントを特定する情報に基づき補正されること
を特徴とする請求項１から３のいずれか一つに記載の健康管理支援装置。
【請求項５】
対象とする期間を受け付ける期間受け付け手段を備え、
前記判定手段は、前記受付手段が受付けた前記身体情報に基づいて決定される栄養所要量、及び、前記期間受け付け手段により受け付けた期間内の前記食物情報に基づいて決定される栄養摂取量に基づき、複数の栄養素のそれぞれについて摂取量が、予め設定されている過剰から不足までの度合いを示す複数の区分の内のいずれに属するかを判定し、
前記出力手段は、前記期間内において前記度合いが不足している栄養素を抽出し、抽出した該度合いが不足している栄養素を列記する表示だけでなく、前記複数の栄養素のそれぞれにつき、前記期間内において過剰から不足までの度合いについて前記判定手段により判定された区分に属することを識別可能に表示するよう出力する
請求項１から４のいずれか一つに記載の健康管理支援装置。
【請求項６】
対象者の身体的特徴に関する身体情報と該対象者が摂取した食物を特定する食物情報との入力を受付け、
受付けた前記身体情報に基づいて決定される栄養所要量、及び、前記食物情報に基づいて決定される栄養摂取量に基づき、複数の栄養素のそれぞれについて摂取量が、予め設定されている過剰から不足までの度合いを示す複数の区分の内のいずれに属するかを判定し、
前記度合いが不足している栄養素を抽出し、抽出した該度合いが不足している栄養素を列記する表示だけでなく、前記複数の栄養素のそれぞれにつき、過剰から不足までの度合いについて前記判定された区分に属することを識別して表示することができるよう出力する健康管理支援方法。
【請求項７】
コンピュータに
対象者の身体的特徴に関する身体情報と該対象者が摂取した食物を特定する食物情報との入力を受付け、
受付けた前記身体情報に基づいて決定される栄養所要量、及び、前記食物情報に基づいて決定される栄養摂取量に基づき、複数の栄養素のそれぞれについて摂取量が、予め設定されている過剰から不足までの度合いを示す複数の区分の内のいずれに属するかを判定し、
前記度合いが不足している栄養素を抽出し、抽出した該度合いが不足している栄養素を列記する表示だけでなく、前記複数の栄養素のそれぞれにつき、過剰から不足までの度合いについて前記判定された区分に属することを識別して表示することができるよう出力する
処理を実行させるプログラム。
【発明の詳細な説明】
【技術分野】
【０００１】
本願は、対象者の摂取状況に基づいて不足している栄養素及び該栄養素を補うための栄養補助食品を決定する健康管理支援装置に関し、特に、対象者の身体的特徴に対応する必要摂取量及び実際に摂取した摂取量に基づいて各栄養素の不足量を算出し、算出した栄養素の不足量を補うことが可能な栄養補助食品を決定することができる健康管理支援装置等に関する。
【背景技術】
【０００２】
近年、健康ブームにより、食事で摂取できない栄養素を補う栄養補助食品が多種販売されている。しかし、栄養補助食品にあっては、薬事法などの規制により包装箱などに保健用途における効能を表示できない。
【０００３】
従って、消費者は、コマーシャル又は評判などに基づいて多種販売されている栄養補助食品から選択したものを購入しているにすぎず、自らの健康状態に対応する最適な栄養補助食品を購入することができなかった。例えば、消費者は、自らの自覚症状を把握しているにもかかわらず、効能を確認できないため、不要な栄養素を含む栄養補助食品を購入することがあった。
【０００４】
また、栄養補助食品は、医師に処方箋に基づくものでないので、消費者は、購入後に摂取している栄養補助食品が身体部位にどのように影響を及ぼしているのか判断し難く、現在の栄養補助食品の摂取を継続するか、又は他に適した栄養補助食品に切り替えるかなどの自己判断を強いられていた。
【０００５】
従来、食事毎に摂取した栄養素の摂取量と目標摂取量とを比較して、栄養素の摂取状況を把握できる装置及びシステムが提案された（例えば、特許文献１）。
【先行技術文献】
【特許文献】
【０００６】
【特許文献１】特開２００２−４１６６９号公報
【発明の概要】
【発明が解決しようとする課題】
【０００７】
しかしながら、特許文献１に記載された発明にあっては、消費者に栄養素の摂取状況を把握させるのみであり、購入すべき栄養補助食品の最終判断を消費者に委ねているため、従来の問題を解決するには至っていない。
【０００８】
本願はかかる事情に鑑みてなされたものであり、対象者の身体的特徴に基づいて対象者が必要とする各栄養素の必要摂取量を決定し、対象者が摂取した各栄養素の摂取量と決定した各栄養素の必要摂取量とを比較して各栄養素の不足量を算出し、算出した各栄養素の不足量を補うことが可能な栄養補助食品を決定することにより、自らに不足している栄養素を補うことができる栄養補助食品を消費者に示すことができる健康管理支援装置等を提供することを目的とする。
【課題を解決するための手段】
【０００９】
本願に開示する装置は、対象者の身体的特徴に関する身体情報と該対象者が摂取した食物を特定する食物情報との入力を受付ける受付手段と、前記受付手段が受付けた前記身体情報に基づいて決定される栄養所要量、及び、前記食物情報に基づいて決定される栄養摂取量に基づき、複数の栄養素のそれぞれについて摂取量が、予め設定されている過剰から不足までの度合いを示す複数の区分の内のいずれに属するかを判定する判定手段と、前記度合いが不足している栄養素を抽出し、抽出した該度合いが不足している栄養素を列記する表示だけでなく、前記複数の栄養素のそれぞれにつき、過剰から不足までの度合いについて前記判定手段により判定された区分に属することを識別可能に表示可能な出力手段とを有する。
【発明の効果】
【００１０】
本願にあっては、自らに不足している栄養素を補うことができる栄養補助食品を対象者の身体的特徴及び現状に応じてきめ細かく決定して示すことができ、対象者の健康管理を支援することができる。
【図面の簡単な説明】
【００１１】
【図１】情報処理装置の構成を示すブロック図である。
【図２】補助記憶部の記憶内容及びＣＰＵの機能ブロックを示す図である。
【図３】身体情報などを入力するための第１受付画面の表示例を示す図である。
【図４】身体情報のデータ構造を示す図である。
【図５】必要摂取量マスタの格納例を示す図である。
【図６】食事履歴テーブルの格納例を示す図である。
【図７】食事含有栄養素マスタの格納例を示す図である。
【図８】サプリメントの実摂取量を入力するための第２受付画面の表示例を示す図である。
【図９】サプリ摂取履歴テーブルの格納例を示す図である。
【図１０】サプリ含有栄養素マスタの格納例を示す図である。
【図１１】自覚症状の強度を入力するための第３受付画面の表示例を示す図である。
【図１２】自覚症状マスタの格納例を示す図である。
【図１３】摂取状況テーブルの格納例を示す図である。
【図１４】身体部位マスタの格納例を示す図である。
【図１５】摂取状況画面の表示例を示す図である。
【図１６】サプリ情報画面の表示例を示す図である。
【図１７】情報処理装置が実行する健康管理支援処理の手順を示すフローチャートである。
【図１８】情報処理装置が実行する健康管理支援処理の手順を示すフローチャートである。
【図１９】情報処理装置が実行する推奨サプリメントシミュレーション手順を示すフローチャートである。
【発明を実施するための形態】
【００１２】
以下、本願に係る健康管理支援装置となる情報処理装置及びコンピュータプログラムについて、実施の形態を示す図面に基づいて説明する。図１は情報処理装置の構成を示すブロック図である。
【００１３】
図中１は、健康管理の対象となる対象者が所持する通信端末装置であり、通信端末装置１は、例えば、パーソナルコンピュータ（以下「ＰＣ」という。）又は携帯端末電話機などが該当する。通信端末装置１は、対象者の入力を受け付ける操作器Ｏと、対象者に情報を出力する画面Ｗとを備える。通信端末装置１は、操作器Ｏ及び画面Ｗを介して入力された身体的特徴を示す身体情報又は食事の実摂取量などを受け付け、インターネットなどの通信網を介して情報処理装置２へ送信する。
【００１４】
情報処理装置２は、健康管理センタ内に設置され、管理者により操作される。情報処理装置２は、通信端末装置１から受信した身体情報などに基づいて対象者が不足している栄養素を決定し、これを補うための栄養補助食品（以下「サプリメント」という。）を決定し、決定したサプリメントに関する情報、栄養素の不足による各身体部位の状態などの結果を通信端末装置１へ送信する。
【００１５】
通信端末装置１は、情報処理装置２から受信した結果を画面Ｗを介して出力する。対象者は、出力された結果に基づいて自らの栄養摂取状況を確認することができる。
【００１６】
情報処理装置２は、記録媒体２１ａに記録してあるプログラムを読み取るための外部記憶部２１と、外部と通信するための通信部２２と、データを一時記憶するためのＲＡＭ２３と、プログラム及びデータなどを記憶する補助記憶部２４と、管理者からの操作を受け付ける操作部２５と、管理者に情報を出力する情報出力部２６と、補助記憶部２４に記憶してあるプログラムに従ってこれらのハードウェアを制御すると共に所定の処理を実行するＣＰＵ２７とを備える。各ハードウェアは、バス２０を介して相互に接続されている。
【００１７】
外部記憶部２１は、挿入口（図示せず。以下同じ。）を備えており、挿入口から挿入される記録媒体２１ａに記録してあるプログラムを読み出して補助記憶部２４へ出力する。
【００１８】
通信部２２は、インターネットなどの通信網と接続し、ＣＰＵ２７の制御に従って通信端末装置１から身体情報、食事の実摂取量などを受信する。また、通信部２２は、栄養補助食品に関する情報を外部へ送信する栄養補助食品出力手段、又は各身体部位の状態を外部へ送信する状態出力手段として機能する。
【００１９】
ＲＡＭ２３は、複数の情報を記憶し、記憶順、記憶位置などに関係なく読み書きが可能な半導体記憶装置であり、処理の実行中に発生したデータを一時的に記憶する。
【００２０】
補助記憶部２４は、例えば、磁気記憶方式のハードディスクなどが該当し、以下のデータを記憶する。図２は補助記憶部２４の記憶内容及びＣＰＵ２７の機能ブロックを示す図である。補助記憶部２４は、本願に係る健康管理支援装置としての機能をＣＰＵ２７に与えるコンピュータプログラムと、対象者の身体的特徴を示す身体情報ＤＡ１と、身体的特徴に対応する必要摂取量を格納する必要摂取量マスタＭＡ１と、摂取された食品内容を格納する食事履歴テーブルＴＡ１と、食品毎に含有する栄養素などを格納する食事含有栄養素マスタＭＡ２と、摂取されたサプリメントの内容を格納するサプリ摂取履歴テーブルＴＡ２と、サプリメント毎に含有する栄養素などを格納するサプリ含有栄養素マスタＭＡ３と、摂取状況を格納する摂取状況テーブルＴＡ３と、自覚症状の強度に対応する重みを格納する自覚症状マスタＭＡ４と、身体部位の状態に対応する閾値を格納する身体部位マスタＭＡ５とを記憶する。各データの格納例については、後述にて説明する。
【００２１】
操作部２５は、例えば、キーボード又はマウスなどを備え、管理者による操作を受け付けてＣＰＵ２７に出力する。
【００２２】
情報出力部２６は、例えば、液晶ディスプレイ及びスピーカを備え、管理者に対して情報を映像出力及び音出力する。
【００２３】
ＣＰＵ２７は、補助記憶部２４に記憶してあるプログラムに従って各ハードウェアを制御する制御手段２７０として機能する。
【００２４】
また、ＣＰＵ２７は、身体情報ＤＡ１及び必要摂取量マスタＭＡ１内のデータに基づいて対象者が必要とする各栄養素の必要摂取量を決定する必要摂取量決定手段２７１として機能する。
【００２５】
また、ＣＰＵ２７は、自覚症状マスタＭＡ４内のデータに基づいて対象者の自覚症状の強度に対応する重みを決定する重み決定手段２７２として機能する。
【００２６】
また、ＣＰＵ２７は、重み決定手段２７２で決定した重みを必要摂取量決定手段２７１で決定した必要摂取量に重み付けることにより、補正必要摂取量を算出する必要摂取量補正手段２７３として機能する。
【００２７】
また、ＣＰＵ２７は、食事履歴テーブルＴＡ１及び食事含有栄養素マスタＭＡ２内のデータに基づいて対象者が食事により摂取した各栄養素の摂取量を決定する食事摂取量決定手段２７４として機能する。
【００２８】
また、ＣＰＵ２７は、サプリ摂取履歴テーブルＴＡ２及びサプリ含有栄養素マスタＭＡ３内のデータに基づいて対象者がサプリメントにより摂取した各栄養素の摂取量を決定するサプリ摂取量決定手段２７５として機能する。
【００２９】
また、ＣＰＵ２７は、食事摂取量決定手段２７４及びサプリ摂取量決定手段２７５で決定した各栄養素の摂取量を合計し、必要摂取量決定手段２７１で決定した必要摂取量と摂取量合計とを栄養素毎に比較するか、必要摂取量補正手段２７３で算出した必要摂取量と摂取量合計とを栄養素毎に比較することにより、各栄養素の過不足量を算出し、過不足量を含む摂取状況テーブルＴＡ３を生成する不足量算出手段２７６として機能する。
【００３０】
また、ＣＰＵ２７は、不足量算出手段２７６で算出した各栄養素の不足量及び身体部位マスタＭＡ５内のデータに基づいて対象者の各身体部位の状態を決定する状態決定手段２７７として機能する。
【００３１】
また、ＣＰＵ２７は、不足量算出手段２７６で算出した不足量及びサプリ含有栄養素マスタＭＡ３内のデータに基づいて対象者に好適なサプリメントを決定するサプリ決定手段２７８として機能する。
【００３２】
このように、ＣＰＵ２７は、上述した様々な機能を補助記憶部２４に記憶してある各データ、テーブル及びマスタに基づいて発揮させる。そこで、これらの内容と、これらを入力するための画面について以下説明する。
【００３３】
図３は身体情報などを入力するための第１受付画面の表示例を示す図である。第１受付画面は、情報処理装置２から通信端末装置１へ送信され、通信端末装置１の画面Ｗに出力される。第１受付画面は、対象者の身体的特徴である年齢、性別、身長及び体重などの身体情報の入力欄と、対象者が希望するシミュレーション期間の入力欄と、シミュレーションの開始日の入力欄と、シミュレーション期間内に摂取された食事の内容及び実摂取量の入力欄と、終了ボタンと、次頁送りボタンとを備える。
【００３４】
通信端末装置１は、第１受付画面に入力されたデータを受け付けて情報処理装置２へ送信する。
【００３５】
図４は身体情報ＤＡ１のデータ構造を示す図である。身体情報ＤＡ１は、対象者を識別するための顧客ＩＤと、身体的特徴である年齢、性別、身長及び体重と、シミュレーション期間と、開始日とを対応付けて格納する。
【００３６】
情報処理装置２のＣＰＵ２７は、通信端末装置１から受信した身体的特徴、シミュレーション期間及び開始日に基づいて身体情報ＤＡ１を生成し、補助記憶部２４に記憶する。一連の処理は、本発明の第１受付手段に相当する。
【００３７】
図５は必要摂取量マスタＭＡ１の格納例を示す図である。必要摂取量マスタＭＡ１は、管理者により予め設定されて補助記憶部２４に複数記憶される。必要摂取量マスタＭＡ１は、例えば、年齢層毎のテーブルに設定され、各テーブルは、身体的特徴、必要とする各栄養素及び必要摂取量を対応付けて格納する。
【００３８】
情報処理装置２のＣＰＵ２７は、必要摂取量決定手段２７１として機能する場合、身体情報ＤＡ１から身体的特徴を抽出して必要摂取量マスタＭＡ１に当て嵌め、必要摂取量マスタＭＡ１に基づいて各栄養素の必要摂取量を決定する。
【００３９】
ＣＰＵ２７は、例えば、「３０才、男性、１７５ｃｍ、６５ｋｇ」という身体的特徴が身体情報ＤＡ１に格納されている場合、図５の必要摂取量マスタＭＡ１に当て嵌め、１日当たりビタミンＡ（以下「Ｖ．Ａ」と略す。）を６００ｍｇ、ビタミンＢ１（以下「Ｖ．Ｂ１」と略す。）を５００ｍｇ、ビタミンＢ２（以下「Ｖ．Ｂ２」と略す。）を７００ｍｇ及びビタミンＢ１２（以下「Ｖ．Ｂ１２」と略す。）を３２０ｍｇ必要とする必要摂取量を必要摂取量マスタＭＡ１から抽出する。
【００４０】
更にＣＰＵ２７は、３日というシミュレーション期間が身体情報ＤＡ１に格納されている場合、抽出した値に３を掛けて、Ｖ．Ａを１，８００ｍｇ、Ｖ．Ｂ１を１，５００ｍｇ、Ｖ．Ｂ２を２，１００ｍｇ及びＶ．Ｂ１２を９６０ｍｇ必要とする必要摂取量を算出し、算出した結果をＲＡＭ２３に一時記憶する。
【００４１】
図６は食事履歴テーブルＴＡ１の格納例を示す図である。食事履歴テーブルＴＡ１は、食事を摂取した年月日と、食事内容と、食事の実摂取量とを対応付けて格納する。食事の実摂取量は、ごはんの単位として「杯」が、卵の単位として「個」が夫々使用される。
【００４２】
情報処理装置２のＣＰＵ２７は、通信端末装置１から受信した食事内容及び実摂取量に基づいて食事履歴テーブルＴＡ１を顧客ＩＤ毎に生成し、生成した食事履歴テーブルＴＡ１を補助記憶部２４に記憶する。
【００４３】
図７は食事含有栄養素マスタＭＡ２の格納例を示す図である。食事含有栄養素マスタＭＡ２は、管理者により予め設定されて補助記憶部２４に記憶される。食事含有栄養素マスタＭＡ２は、食事内容毎に含有する栄養素及び栄養素の含有量を対応付けて格納する。
【００４４】
情報処理装置２のＣＰＵ２７は、食事摂取量決定手段２７４として機能する場合、食事履歴テーブルＴＡ１から食事履歴を抽出して食事含有栄養素マスタＭＡ２に当て嵌める。ＣＰＵ２７は、食事含有栄養素マスタＭＡ２に基づいて、対象者が食事により摂取した各栄養素の摂取量を決定する。
【００４５】
ＣＰＵ２７は、例えば、「対象者が２００７年１２月１日にごはん３杯と卵１個とを摂取した。」という食事履歴が食事履歴テーブルＴＡ１に格納されている場合、図７の食事含有栄養素マスタＭＡ２に当て嵌め、対象者がごはんからＶ．Ａを２０（ｍｇ／杯）×３（杯）＝６０（ｍｇ）、Ｖ．Ｂを５（ｍｇ／杯）×３（杯）＝１５（ｍｇ）、卵からＶ．Ａを１００（ｍｇ／個）×１（個）＝１００（ｍｇ）摂取したと判断し、各栄養素の摂取量をＲＡＭ２３に一時記憶する。詳細入力を押下することにより、各栄養素を直接入力することも可能である。一連の処理は、本発明の第２受付手段に相当する。
【００４６】
図８はサプリメントの実摂取量を入力するための第２受付画面の表示例を示す図である。第２受付画面は、情報処理装置２から通信端末装置１へ送信され、通信端末装置１の画面Ｗに出力される。第２受付画面は、所定のサプリメントのメーカ名、製品名及び実摂取量を対応付けて入力するための商品選択欄と、栄養素の名称、１粒当たりの含有量及び実摂取量を対応付けて入力するための直接入力欄とを備える。商品選択欄内の入力欄は、プルダウン形式になっており、予め設定された選択肢の何れかを選択させるようにしてある。一方、直接入力欄は、商品選択欄内に選択肢がないときに入力させる欄であり、栄養素の名称のみがプルダウン形式になって選択肢の何れかを選択させるようにしてある。
【００４７】
通信端末装置１は、第２受付画面に入力されたデータを受け付けて情報処理装置２へ送信する。
【００４８】
図９はサプリ摂取履歴テーブルＴＡ２の格納例を示す図である。サプリ摂取履歴テーブルＴＡ２は、対象者が摂取したサプリメントのメーカ名、製品名及び実摂取量を対応付けて格納する。
【００４９】
情報処理装置２のＣＰＵ２７は、通信端末装置１から受信したデータに基づいてサプリ摂取履歴テーブルＴＡ２を顧客ＩＤ毎に生成して補助記憶部２４に記憶する。
【００５０】
図１０はサプリ含有栄養素マスタＭＡ３の格納例を示す図である。サプリ含有栄養素マスタＭＡ３は、管理者により予め設定されて補助記憶部２４に記憶される。サプリ含有栄養素マスタＭＡ３は、サプリメントのメーカ名、製品名、含有する栄養素、栄養素の含有量及び一日の標準摂取量を対応付けて格納する。
【００５１】
情報処理装置２のＣＰＵ２７は、サプリ摂取量決定手段２７５として機能する場合、サプリ摂取履歴テーブルＴＡ２からサプリ摂取履歴を抽出してサプリ含有栄養素マスタＭＡ３に当て嵌める。ＣＰＵ２７は、サプリ含有栄養素マスタＭＡ３に基づいて、対象者がサプリメントにより摂取した各栄養素の摂取量を決定する。
【００５２】
ＣＰＵ２７は、例えば、「対象者がＳ製薬のポップＳ錠４錠とＴ製薬のリッチＤ１本とを摂取した。」というサプリ摂取履歴がサプリ摂取履歴テーブルＴＡ２に格納されている場合、図１０のサプリ含有栄養素マスタＭＡ３に当て嵌め、対象者がポップＳ錠からＶ．Ａを２０（ｍｇ／錠）×４（錠）＝８０（ｍｇ）、Ｖ．Ｂを５（ｍｇ／錠）×４（錠）＝２０（ｍｇ）、リッチＤからタウリンを１,０００（ｍｇ／本）×１（本）＝１，０００（ｍｇ）、Ｖ．Ａを１００（ｍｇ／本）×１（本）＝１００（ｍｇ）摂取したと判断し、結果をＲＡＭ２３に一時記憶する。一連の処理は、本発明の第２受付手段に相当する。
【００５３】
図１１は自覚症状の強度を入力するための第３受付画面の表示例を示す図である。第３受付画面は、情報処理装置２から通信端末装置１へ送信され、通信端末装置１の画面Ｗに出力される。第３受付画面は、症状の一覧表示である左欄と、左欄から選択した自覚症状を表示する右欄とを有する。左欄には予め準備されている症状の一覧があり、一覧の何れかを選択して右欄に表示させ、右欄には表示された自覚症状に対応付けてその強度を入力させる。
【００５４】
通信端末装置１は、第３受付画面に入力されたデータを受け付けて情報処理装置２へ送信する。一連の処理は、本発明の第３受付手段に相当する。
【００５５】
図１２は自覚症状マスタＭＡ４の格納例を示す図である。自覚症状マスタＭＡ４は、管理者により予め設定されて補助記憶部２４に記憶される。自覚症状マスタＭＡ４は、身体部位を識別するための部位コード、自覚症状、強さ、原因となる栄養素及び重みを対応付けて格納する。
【００５６】
情報処理装置２のＣＰＵ２７は、重み決定手段２７２として機能する場合、通信端末装置１から自覚症状及びその強さを受信して自覚症状マスタＭＡ４に当て嵌める。ＣＰＵ２７は、自覚症状マスタＭＡ４に基づいて、重みを決定する。
【００５７】
ＣＰＵ２７は、例えば、通信端末装置１から「肩こりが強、目の疲れが弱」という自覚症状の強さを受信した場合、図１２の自覚症状マスタＭＡ４に当て嵌め、Ｖ．Ｂ１に重み２０×３＝６０を、Ｖ．Ｂ２に重み３０×３＋３０＝１２０を夫々重み付けることを決定し、結果をＲＡＭ２３に一時記憶する。
【００５８】
図１３は摂取状況テーブルＴＡ３の格納例を示す図である。摂取状況テーブルＴＡ３は、不足量算出手段２７６として機能するＣＰＵ２７により生成される。摂取状況テーブルＴＡ３は、必要摂取量決定手段２７１で決定した各栄養素の必要摂取量と、重み決定手段２７２で決定した重みと、必要摂取量補正手段２７３で算出した必要摂取量と、食事摂取量決定手段２７４及び／又はサプリ摂取量決定手段２７５で決定した各栄養素の摂取量と、過不足量と、不足度合とを対応付けて格納する。
【００５９】
情報処理装置２のＣＰＵ２７は、例えば、上述したＲＡＭ２３に記憶してあるデータに基づいてＶ．Ａの必要摂取量を１，８００ｍｇ、Ｖ．Ｂ１の必要摂取量を１，５００ｍｇ、Ｖ．Ｂ２の必要摂取量を２，１００ｍｇ、Ｖ．Ｂ１２の必要摂取量を９６０ｍｇとして摂取状況テーブルＴＡ３に格納する。また、ＣＰＵ２７は、Ｖ．Ｂ１の重みを６０、Ｖ．Ｂ２の重みを１２０として摂取状況テーブルＴＡ３に格納する。
【００６０】
また、ＣＰＵ２７は、必要摂取量に重み付けることにより、Ｖ．Ａの補正必要摂取量を１，８００ｍｇ、Ｖ．Ｂ１の補正必要摂取量を１，５６０ｍｇ、Ｖ．Ｂ２の補正必要摂取量を２，２２０ｍｇ、Ｖ．Ｂ１２の補正必要摂取量を９６０ｍｇとして摂取状況テーブルＴＡ３に格納する。
【００６１】
また、ＣＰＵ２７は、例えば、対象者が食事及びサプリメントの摂取によりＶ．Ａを１，７００ｍｇ、Ｖ．Ｂ１を１，４５０ｍｇ、Ｖ．Ｂ２を２,５００ｍｇ、Ｖ．Ｂ１２を６００ｍｇ摂取した場合、夫々の摂取量を補正必要摂取量で減算することにより、Ｖ．Ａの不足量を１００（ｍｇ）、Ｖ．Ｂ１の不足量を１１０（ｍｇ）、Ｖ．Ｂ１２の不足量を３６０（ｍｇ）とし、Ｖ．Ｂ２のみ２８０（ｍｇ）過剰しているとして摂取状況テーブルＴＡ３に格納する。
【００６２】
更に、ＣＰＵ２７は、過不足量を必要摂取量で除算することにより、Ｖ．Ａの不足度合を−５．６％、Ｖ．Ｂ１の不足度合を−７．１％、Ｖ．Ｂ２の不足度合を＋１２．６％、Ｖ．Ｂ１２の不足度合を−３７．５％として摂取状況テーブルＴＡ３に格納する。
【００６３】
ＣＰＵ２７は、これらのデータを纏めて摂取状況テーブルＴＡ３とし、補助記憶部２４に記憶する。
【００６４】
図１４は身体部位マスタＭＡ５の格納例を示す図である。身体部位マスタＭＡ５は、管理者により予め設定されて補助記憶部２４に記憶される。身体部位マスタＭＡ５は、栄養素と、栄養素の不足により影響を受ける身体部位と、予め設定された閾値とを対応付けて格納する。閾値は、第１乃至第３閾値に分けて設定される。
【００６５】
情報処理装置２のＣＰＵ２７は、状態決定手段２７７として機能する場合、不足度合と閾値とを栄養素毎に比較し、不足度合≧閾値をなす栄養素及び身体部位を身体部位マスタＭＡ５から抽出する。また、ＣＰＵ２７は、不足度合≧第１閾値であるのか、不足度合≧第２閾値であるのか、不足度合≧第３閾値であるのかを判断する。
【００６６】
ＣＰＵ２７は、上述した一例の場合、Ｖ．Ａの不足度合が−５．６％、Ｖ．Ｂ１の不足度合が−７．１％、Ｖ．Ｂ２の不足度合が＋１２．６％及びＶ．Ｂ１２の不足度合が−３７．５％となるので、図１４の身体部位マスタＭＡ５に当て嵌め、Ｖ．Ａの不足度合≧目に対するＶ．Ａ不足の第１閾値、Ｖ．Ｂの不足度合≧肝臓に対するＶ．Ｂ１不足の第１閾値、Ｖ．Ｂ１２に不足度合≧肝臓に対するＶ．Ｂ１２不足の第３閾値であると判断する。
【００６７】
図１５は摂取状況画面の表示例を示す図である。摂取状況画面は、情報処理装置２から通信端末装置１へ送信され、通信端末装置１の画面Ｗに出力される。摂取状況画面は、シミュレーション期間と、摂取状況一覧と、身体を模式的に示す身体画像とを有する。
【００６８】
情報処理装置２のＣＰＵ２７は、補助記憶部２４に記憶してある身体情報ＤＡ１内のシミュレーション期間を摂取状況画面に読み出し、補助記憶部２４に記憶してある摂取状況テーブルＴＡ３のデータを摂取状況一覧として摂取状況画面に読み出す。
【００６９】
また、ＣＰＵ２７は、摂取状況一覧のうちの過不足量を状態決定手段２７７で決定した各栄養素に対する閾値レベルに応じて色分けする。色分けは、例えば、第１閾値レベルが黄色、第２閾値レベルが橙色、第３閾値レベルが赤色、過剰のときは緑色のように規定される規則に従う。規則は、予め設定されて補助記憶部２４に記憶される。ＣＰＵ２７は、上述した一例の場合、Ｖ．Ａ及びＶ．Ｂの不足度合≧第１閾値であるので、その過不足量を黄色に、Ｖ．Ｂ１２の不足度合≧第３閾値であるので、その過不足量を赤色に、Ｖ．Ｂ２が過剰であるので、その過不足量を緑色に夫々色分けする。
【００７０】
また、ＣＰＵ２７は、対象者の身体画像を外部から受け付けて摂取状況画面に読み出し、身体画面に状態決定手段２７７で決定した不足度合≧閾値をなす身体部位を重畳する。また、ＣＰＵ２７は、状態決定手段２７７で決定した部位に対する閾値レベルに応じて重畳箇所を色分けする。ＣＰＵ２７は、上述した一例の場合、肝臓を赤色に、目を黄色に夫々色分けする。
【００７１】
ＣＰＵ２７は、このように生成した摂取状況画面を通信端末装置１へ送信する。通信端末装置１は、情報処理装置２から受信した摂取状況画面を画面Ｗを介して出力する。その結果、対象者は、現在摂取している食品及び栄養補助食品に基づく栄養素の摂取状況を視覚的に確認することができる。一連の処理は、本発明の栄養補助食品出力手段に相当する。
【００７２】
図１６はサプリ情報画面の表示例を示す図である。サプリ情報画面は、情報処理装置２から通信端末装置１へ送信され、通信端末装置１の画面Ｗに出力される。サプリ情報画面は、部位毎の不足栄養素の一覧と、対象者が現在使用しているサプリメントの一覧と、推奨するサプリメントの一覧とを有する。
【００７３】
ＣＰＵ２７は、身体部位毎に、状態決定手段２７７で決定した不足度合≧閾値をなす栄養素をサプリ情報画面に読み出す。また、ＣＰＵ２７は、栄養素毎に、摂取状況テーブルＴＡ３に格納してある不足量及び不足度合を対応付けて一覧としてサプリ情報画面に読み出す。また、ＣＰＵ２７は、一覧内の不足量を状態決定手段２７７で決定した各栄養素に対する閾値レベルに応じて色分けする。
【００７４】
また、ＣＰＵ２７は、補助記憶部２４に記憶してあるサプリ摂取履歴テーブルＴＡ２内のメーカ名及び製品名と、継続又は中止の入力欄とを対応付けて一覧としてサプリ情報画面に読み出す。この一覧は、対象者が現在使用しているサプリメントの一覧に相当する。
【００７５】
ＣＰＵ２７は、このように生成したサプリ情報画面を通信端末装置１へ送信する。通信端末装置１は、情報処理装置２から受信したサプリ情報画面を画面Ｗに出力する。対象者は、サプリ情報画面を介して現在使用しているサプリメントでは摂取できない栄養素の不足量を視覚的に確認することができる。
【００７６】
その後、通信端末装置１は、サプリ情報画面を介して、現在使用しているサプリメントの一覧から継続希望のサプリメントにチェックを入力された場合、チェックされたサプリメントの継続指示を生成し、情報処理装置２へ送信する。
【００７７】
情報処理装置２のＣＰＵ２７は、通信端末装置１から継続指示を受信し、継続するサプリメントのみで摂取できる各栄養素の摂取量を再算出する。ＣＰＵ２７は、再算出した摂取量を食事により摂取できる各栄養素の摂取量に加算する。ＣＰＵ２７は、加算した摂取量を摂取状況テーブルＴＡ３に上書きし、栄養素毎に過不足量及び不足度合を再算出する。
【００７８】
ＣＰＵ２７は、補助記憶部２４に記憶してあるサプリ含有栄養素マスタＭＡ３にアクセスし、対象者が不足する栄養素を最も多く含有しているサプリメントを選択する。即ち、ＣＰＵ２７は、各栄養素の不足量と該栄養素の含有量との差が最小のサプリメントを推奨サプリメントとしてサプリ含有栄養素マスタＭＡ３の１日の標準摂取量×３から抽出する。
【００７９】
また、ＣＰＵ２７は、一つの推奨サプリメントを抽出した後、各栄養素の不足量が０になっていないと判断した場合、推奨サプリメントを追加することで摂取できる各栄養素の摂取量を再算出する。ＣＰＵ２７は、再算出した摂取量を食事により摂取できる各栄養素の摂取量に加算する。ＣＰＵ２７は、加算した摂取量を摂取状況テーブルＴＡ３に上書きし、栄養素毎に過不足量及び不足度合を再算出する。ＣＰＵ２７は、各栄養素の不足量と該栄養素の含有量との差が最小のサプリメントを推奨サプリメントとしてサプリ含有栄養素マスタＭＡ３から更に抽出する。ＣＰＵ２７は、各栄養素の不足量が０になるまでこの抽出処理を繰り返す。
【００８０】
ＣＰＵ２７は、一又は複数の推奨サプリメントをサプリ情報画面に読み出す。ＣＰＵ２７は、このように更新したサプリ情報画面を通信端末装置１へ送信する。
【００８１】
通信端末装置１は、情報処理装置２から受信したサプリ情報画面を画面Ｗに出力する。その結果、対象者は、現在摂取している栄養補助食品を継続すべきか、更に適した栄養補助食品に切り替えるべきかを確認することができる。
【００８２】
また、通信端末装置１は、サプリ情報画面を介して、推奨サプリメントから購入希望のサプリメントにチェックを入力された場合、チェックされたサプリメントの販売指示を生成し、情報処理装置２へ送信する。情報処理装置２のＣＰＵ２７は、販売指示を受け付けてＲＡＭ２３に一時記憶する。
【００８３】
更にまた、通信端末装置１は、サプリ情報画面を介して、購入画面への移動ボタンを押下された場合、移動指示を生成し、情報処理装置２へ送信する。
【００８４】
情報処理装置２のＣＰＵ２７は、移動指示に応じて外部にある購入支援システムと通信端末装置１とを中継する。その結果、対象者は、購入支援システムを介して所望するサプリメントを購入することができる。
【００８５】
このように、情報処理装置２は、上述したデータ、テーブル及びデータベースに基づいて健康管理支援処理を実行する。そこで、情報処理装置２が実行する健康管理支援処理の手順について以下説明する。図１７及び図１８は、情報処理装置２が実行する健康管理支援処理の手順を示すフローチャートである。
【００８６】
情報処理装置２のＣＰＵ２７は、通信端末装置１から身体的特徴を受信したとき、身体的特徴に対応する各栄養素の必要摂取量を必要摂取量マスタＭＡ１から抽出し（Ｓ１０１）、抽出した各栄養素の必要摂取量をＲＡＭ２３に一時記憶する。
【００８７】
ＣＰＵ２７は、通信端末装置１から食事履歴を受信したか否かを判定し（Ｓ１０２）、通信端末装置１から食事履歴を受信したと判定した場合（Ｓ１０２でＹＥＳ）、受信した食事履歴の食事内容が含有する栄養素及び栄養素の含有量を食事含有栄養素マスタＭＡ２から抽出する。
【００８８】
ＣＰＵ２７は、抽出した栄養素及び栄養素の含有量に食事の実摂取量を積算して食事により摂取された各栄養素の摂取量を決定する（Ｓ１０３）。ＣＰＵ２７は、決定した各栄養素の摂取量をＲＡＭ２３に一時記憶し、ステップＳ１０４へ進む。
【００８９】
一方、ＣＰＵ２７は、通信端末装置１から食事履歴を受信していないと判定した場合（Ｓ１０２でＮＯ）、ステップＳ１０３を飛ばしてステップＳ１０４へ進む。
【００９０】
ＣＰＵ２７は、各栄養素の摂取量を決定した場合（Ｓ１０３参照）、又は通信端末装置１から食事履歴を受信していないと判定した場合（Ｓ１０２でＮＯを参照）、通信端末装置１からサプリ摂取履歴を受信したか否かを判定する（Ｓ１０４）。
【００９１】
ＣＰＵ２７は、通信端末装置１からサプリ摂取履歴を受信したと判定した場合（Ｓ１０４でＹＥＳ）、受信したサプリ摂取履歴のサプリメントが含有する栄養素及び栄養素の含有量をサプリ含有栄養素マスタＭＡ３から抽出する。
【００９２】
ＣＰＵ２７は、抽出した栄養素及び栄養素の含有量にサプリメントの実摂取量を積算してサプリメントにより摂取された各栄養素の摂取量を決定し（Ｓ１０５）、決定した各栄養素の摂取量を食事により摂取された各栄養素の摂取量に加算してＲＡＭ２３に一時記憶し、ステップＳ１０６へ進む。
【００９３】
一方、ＣＰＵ２７は、通信端末装置１からサプリ摂取履歴を受信していないと判定した場合（Ｓ１０４でＮＯ）、ステップＳ１０５を飛ばしてステップＳ１０６へ進む。
【００９４】
ＣＰＵ２７は、各栄養素の摂取量を決定した場合（Ｓ１０５参照）、又は通信端末装置１からサプリ摂取履歴を受信していないと判定した場合（Ｓ１０４でＮＯを参照）、通信端末装置１から自覚症状の部位及びその強さを受信したか否かを判定する（Ｓ１０６）。
【００９５】
ＣＰＵ２７は、通信端末装置１から自覚症状の部位及びその強さを受信したと判定した場合（Ｓ１０６でＹＥＳ）、受信した自覚症状の部位及びその強さに対応する重みを自覚症状マスタＭＡ４から抽出する（Ｓ１０７）。
【００９６】
ＣＰＵ２７は、重みをＲＡＭ２３に記憶してある各栄養素の必要摂取量に重み付けることにより補正必要摂取量を算出し（Ｓ１０８）、算出した補正必要摂取量をＲＡＭ２３に一時記憶する。ＣＰＵ２７は、ステップＳ１０９へ進む。
【００９７】
一方、ＣＰＵ２７は、通信端末装置１から自覚症状の部位及びその強さを受信していないと判定した場合（Ｓ１０６でＮＯ）、ステップＳ１０７及びステップＳ１０８を飛ばして、ステップＳ１０９へ進む。
【００９８】
ＣＰＵ２７は、補正必要摂取量を算出した場合（Ｓ１０８参照）、又は通信端末装置１から自覚症状の部位及びその部位を受信していないと判定した場合（Ｓ１０６でＮＯを参照）、栄養素毎に、ＲＡＭ２３に記憶してある摂取量を必要摂取量で減算（摂取量−必要摂取量）して過不足量を算出し（Ｓ１０９）、ＲＡＭ２３に一時記憶する。
【００９９】
ＣＰＵ２７は、算出した過不足量をＲＡＭ２３に記憶してある必要摂取量で除算（過不足量／必要摂取量）して不足度合を算出し（Ｓ１１０）、ＲＡＭ２３に一時記憶する。
【０１００】
ＣＰＵ２７は、ＲＡＭ２３に記憶してある必要摂取量、重み、補正必要摂取量、摂取量、過不足量及び不足度合を含む摂取状況テーブルＴＡ３を生成して補助記憶部２４に記憶する。
【０１０１】
ＣＰＵ２７は、栄養素毎に、算出した不足度合≧閾値の関係をなす栄養素及び部位を身体部位マスタＭＡ５から抽出する（Ｓ１１１）。ＣＰＵ２７は、栄養素及び部位毎に、不足度合が第１閾値以上であるか、第２閾値以上であるか、第３閾値以上であるかを判定し、不足度合≧第１閾値の場合は黄色を、不足度合≧第２閾値レベルの場合は橙色を、不足度合≧第３閾値レベルの場合は赤色を、不足度合＜第１閾値の場合は緑色を出力するよう表示色を決定する（Ｓ１１２）。
【０１０２】
ＣＰＵ２７は、摂取状況画面を生成する。具体的には、ＣＰＵ２７は、補助記憶部２４に記憶してある摂取状況テーブルＴＡ３のデータを摂取状況一覧として摂取状況画面に読み出し、摂取状況一覧のうちの過不足量をステップＳ１１２で決定した表示色で色分けする。また、ＣＰＵ２７は、外部から受け付けた身体画像を摂取状況画面に読み出し、身体画像にステップＳ１１１で抽出した各部位を重畳する。また、ＣＰＵ２７は、重畳箇所をステップＳ１１２で決定した表示色で色分けする。ＣＰＵ２７は、生成した摂取状況画面を通信端末装置１へ送信する（Ｓ１１３）。
【０１０３】
ＣＰＵ２７は、サプリ情報画面を生成する。具体的には、ＣＰＵ２７は、身体部位毎に、ステップＳ１１２で抽出した各栄養素をサプリ情報画面に読み出し、栄養素毎に、補助記憶部２４に記憶してある摂取状況テーブルＴ３内の不足度合及び不足量を対応づけてサプリ情報画面に読み出し、不足度合の大きい順序に並べる。また、ＣＰＵ２７は、補助記憶部２４に記憶してあるサプリ摂取履歴マスタＴＡ２内のメーカ名及び製品名と、継続及び中止の入力欄とを対応付けてサプリ情報画面に読み出す。ＣＰＵ２７は、生成したサプリ情報画面を通信端末装置１へ送信する（Ｓ１１４）。
【０１０４】
通信端末装置１は、サプリ情報画面を介して受け付けたサプリメントの継続指示を情報処理装置２へ送信する。情報処理装置２のＣＰＵ２７は、通信端末装置１から継続指示を受信した場合、推奨サプリメントシミュレーションを実行する（Ｓ１１５）。ＣＰＵ２７は、シミュレーションの結果となる推奨サプリメントを通信端末装置１へ送信し（Ｓ１１６）、健康管理支援処理を終了する。尚、推奨サプリメントシミュレーションの手順については、後述にて説明する。
【０１０５】
通信端末装置１は、情報処理装置２から受信した推奨サプリメントをサプリ情報画面に出力する。対象者は、自らの栄養素の摂取状況を改善するために好適なサプリメントを確認することができる。
【０１０６】
次に情報処理装置２が実行する推奨サプリメントシミュレーションの手順について説明する。図１９は情報処理装置２が実行する推奨サプリメントシミュレーションの処理の手順を示すフローチャートである。
【０１０７】
対象者は、現在使用しているサプリメントの一覧から継続希望のサプリメントにチェックを入力する。通信端末装置１は、チェックされたサプリメントの継続指示を生成し、情報処理装置２へ送信する。
【０１０８】
情報処理装置２のＣＰＵ２７は、通信端末装置１から継続指示を受け付けたか否か判定し（Ｓ２０１）、通信端末装置１から継続の指示を受け付けたと判定した場合（Ｓ２０１でＹＥＳ）、継続するサプリメントのみで摂取された各栄養素の摂取量を再算出する（Ｓ２０２）。ＣＰＵ２７は、再算出した摂取量を食事により摂取された各栄養素の摂取量に加算する（Ｓ２０３）。
【０１０９】
ＣＰＵ２７は、栄養素毎に過不足量及び不足度合を再算出し（Ｓ２０４）、補助記憶部２４に記憶してあるサプリ含有栄養素マスタＭＡ３にアクセスする。ＣＰＵ２７は、対象者が不足している栄養素を最も多く含有しているサプリメントをサプリ含有栄養素マスタＭＡ３から抽出し（Ｓ２０５）、抽出したサプリメントを推奨サプリメントとしてサプリ情報画面に読み出す。ＣＰＵ２７は、このように更新したサプリ情報画面を通信端末装置１へ送信する。
【０１１０】
尚、上述した実施の形態では、対象者が不足している栄養素を多く含有している順番で抽出したサプリメントを推奨サプリメントとしてサプリ情報画面に読み出す一例を説明した。しかし、本発明は、これに限定されることなく、メーカ名が自社となるサプリメントを優先的に抽出してサプリ情報画面に読み出すようにしてもよい。
【０１１１】
上述した実施の形態に関し、更に以下の付記を開示する。
【０１１２】
（付記１）
対象者の摂取状況に基づいて不足している栄養素及び該栄養素を補うための栄養補助食品を決定する健康管理支援装置において、
対象者の身体的特徴に対応する栄養素の必要摂取量を格納する必要摂取量マスタと、
栄養補助食品を識別するための識別子と、該栄養補助食品に含有される栄養素を識別するための識別子と、該栄養素の含有量とを対応付けて格納する栄養補助食品マスタと、
対象者の身体的特徴を受付ける第１受付手段と、
第１受付手段で受付けた身体的特徴に対応する栄養素の必要摂取量を前記必要摂取量マスタから栄養素毎に夫々抽出する必要摂取量決定手段と、
対象者が摂取した各栄養素の摂取量を受付ける第２受付手段と、
第２受付手段で受付けた各栄養素の摂取量と抽出した栄養素の必要摂取量とを比較して各栄養素の不足量を算出する不足量算出手段と、
算出した各栄養素の不足量を補うことが可能な栄養補助食品を、該各栄養素を示す識別子及び不足量に基づいて、前記栄養補助食品マスタから抽出する栄養補助食品決定手段と、
抽出した栄養補助食品に関する情報を出力する栄養補助食品出力手段と
を備えることを特徴とする健康管理支援装置。
【０１１３】
（付記２）
前記身体的特徴は、少なくとも年齢、性別、身長又は体重の何れかを含むことを特徴とする付記１に記載の健康管理支援装置。
【０１１４】
（付記３）
食品に含有する栄養素及び該栄養素の含有量を対応付けて格納する食品マスタを更に備え、
第２受付手段は、
対象者が摂取した食品の実摂取量を受付ける手段と、
受付けた食品の実摂取量に対応する各栄養素の含有量を前記食品マスタから抽出する手段と、
抽出した各栄養素の含有量を対象者が摂取した各栄養素の摂取量として受付ける手段と
を更に備えることを特徴とする付記１又は２に記載の健康管理支援装置。
【０１１５】
（付記４）
第２受付手段は、
対象者が摂取した栄養補助食品の実摂取量を受付ける手段と、
受付けた栄養補助食品の実摂取量に対応する各栄養素の含有量を前記栄養補助食品マスタから抽出する手段と、
抽出した各栄養素の含有量を対象者が摂取した各栄養素の摂取量として受付ける手段と
を更に備えることを特徴とする付記３に記載の健康管理支援装置。
【０１１６】
（付記５）
前記栄養補助食品決定手段は、算出した各栄養素の不足量と該栄養素の含有量との差が最小の栄養補助食品を前記栄養補助食品マスタから抽出するようにしてあることを特徴とする付記１乃至４のいずれかに記載の健康管理支援装置。
【０１１７】
（付記６）
前記栄養補助食品決定手段は、算出した各栄養素の不足量が０になるまで算出した各栄養素の不足量と該栄養素の含有量との差が最小の栄養補助食品を前記栄養補助食品マスタから順次抽出するようにしてあることを特徴とする付記５に記載の健康管理支援装置。
【０１１８】
（付記７）
予め設定された閾値を身体部位の状態に対応付けて格納する身体部位マスタと、
前記不足量算出手段で算出した各栄養素の不足量と前記閾値とを比較して各身体部位の状態を決定する状態決定手段と、
決定した各身体部位の状態に応じて、対象者の身体画像の該当部位を色分け表示する状態出力手段と
を更に備えることを特徴とする付記１乃至６のいずれかに記載の健康管理支援装置。
【０１１９】
（付記８）
予め設定された重みを自覚症状の強度に対応付けて格納する自覚症状マスタと、
対象者の自覚症状の強度を受付ける第３受付手段と、
第３受付手段で受付けた自覚症状の強度に対応する重みを前記自覚症状マスタから抽出する重み決定手段と、
抽出した重みを前記必要摂取量決定手段で抽出した栄養素の必要摂取量に重付けることにより補正必要摂取量を算出する必要摂取量補正手段と
を更に備え、
前記不足量算出手段は、第２受付手段で受付けた各栄養素の摂取量と算出した各栄養素の補正必要摂取量とを比較して各栄養素の不足量を算出するようにしてあることを特徴とする付記１乃至７のいずれかに記載の健康管理支援装置。
【０１２０】
（付記９）
コンピュータに、対象者の摂取状況に基づいて不足している栄養素及び該栄養素を補うための栄養補助食品を決定させるコンピュータプログラムについて、
外部から受付けた身体的特徴に対応する栄養素の必要摂取量を、対象者の身体的特徴に対応する栄養素の必要摂取量を格納する必要摂取量マスタから栄養素毎に夫々抽出させるステップと、
外部から受付けた対象者が摂取した各栄養素の摂取量と抽出した各栄養素の必要摂取量とを比較して各栄養素の不足量を算出させるステップと、
算出した各栄養素の不足量を補うことが可能な栄養補助食品を、栄養補助食品に含有する栄養素及び該栄養素の含有量を対応付けて格納する栄養補助食品マスタから抽出させるステップと、
抽出した栄養補助食品に関する情報を出力させるステップと
をコンピュータに実行させることを特徴とするコンピュータプログラム。
【０１２１】
（付記１０）
コンピュータに、対象者の摂取状況に基づいて不足している栄養素及び該栄養素を補うための栄養補助食品を決定させるコンピュータプログラムについて、
外部から受付けた身体的特徴に対応する栄養素の必要摂取量を、対象者の身体的特徴に対応する栄養素の必要摂取量を格納する必要摂取量マスタから栄養素毎に夫々抽出させるステップと、
外部から受付けた対象者が摂取した各栄養素の摂取量と抽出した各栄養素の必要摂取量とを比較して各栄養素の不足量を算出させるステップと、
算出した各栄養素の不足量と該栄養素の含有量との差が最小の栄養補助食品を、栄養補助食品に含有する栄養素及び該栄養素の含有量を対応付けて格納する栄養補助食品マスタから抽出させるステップと、
抽出した栄養補助食品に関する情報を出力させるステップと
をコンピュータに実行させることを特徴とするコンピュータプログラム。
【０１２２】
（付記１１）
コンピュータに、対象者の摂取状況に基づいて不足している栄養素及び該栄養素を補うための栄養補助食品を決定させるコンピュータプログラムについて、
外部から受付けた身体的特徴に対応する栄養素の必要摂取量を、対象者の身体的特徴に対応する栄養素の必要摂取量を格納する必要摂取量マスタから栄養素毎に夫々抽出させるステップと、
外部から受付けた対象者が摂取した各栄養素の摂取量と抽出した各栄養素の必要摂取量とを比較して各栄養素の不足量を算出させるステップと、
算出した各栄養素の不足量が０になるまで算出した各栄養素の不足量と該栄養素の含有量との差が最小の栄養補助食品を、栄養補助食品に含有する栄養素及び該栄養素の含有量を対応付けて格納する栄養補助食品マスタから順次抽出させるステップと、
抽出した栄養補助食品に関する情報を出力させるステップと
をコンピュータに実行させることを特徴とするコンピュータプログラム。
【０１２３】
（付記１２）
算出した各栄養素の不足量と身体部位の状態に対応付けて設定された閾値とを比較して各身体部位の状態を決定させるステップと、
決定した身体部位の状態に応じて、対象者の身体画像の該当部位を色分け表示させるステップと
をコンピュータに更に実行させることを特徴とする付記９乃至１１のいずれかに記載のコンピュータプログラム。
【０１２４】
（付記１３）
外部から受付けた対象者の自覚症状の強度に対応する重みを、予め設定された重みを自覚症状の強度に対応付けて格納する自覚症状マスタから抽出させるステップと、
抽出した重みを、抽出した栄養素の必要摂取量に重付けることにより補正必要摂取量を算出させるステップと、
外部から受付けた対象者が摂取した各栄養素の摂取量と算出した各栄養素の補正必要摂取量とを比較して各栄養素の不足量を算出させるステップと
をコンピュータに更に実行させることを特徴とする付記９乃至１１のいずれかに記載のコンピュータプログラム。
【符号の説明】
【０１２５】
１ 通信端末装置
２ 情報処理装置
２１ 外部記憶部
２２ 通信部
２３ ＲＡＭ
２４ 補助記憶部
２５ 操作部
２６ 情報出力部
２７ ＣＰＵ
【図１】
2013178839.tif 000003
【図２】
2013178839.tif 000004
【図３】
2013178839.tif 000005
【図４】
2013178839.tif 000006
【図５】
2013178839.tif 000007
【図６】
2013178839.tif 000008
【図７】
2013178839.tif 000009
【図８】
2013178839.tif 000010
【図９】
2013178839.tif 000011
【図１０】
2013178839.tif 000012
【図１１】
2013178839.tif 000013
【図１２】
2013178839.tif 000014
【図１３】
2013178839.tif 000015
【図１４】
2013178839.tif 000016
【図１５】
2013178839.tif 000017
【図１６】
2013178839.tif 000018
【図１７】
2013178839.tif 000019
【図１８】
2013178839.tif 000020
【図１９】
2013178839.tif 000021